(57)【要約】【課題】サンプル台上の商品サンプルを明るく照明してディスプレイ効果の向上を図ることができる自動販売機のサンプル台構造を提供する点にある。【解決手段】蛍光灯２の両端子部が接続支持される両蛍光灯ソケット支持部２０，２０と、これら両蛍光灯ソケット支持部２０，２０間に亘って連結されているとともに、上面部に長手方向に沿って複数の商品サンプルＫを着脱自在に取付け可能な商品サンプル取付け部４０が形成されたサンプル台Ｊとを具備し、少なくとも商品サンプル取付け部４０が、透光性素材によって形成されている。【選択図】　　　　図３
2004086853.tif 000002
【特許請求の範囲】
【請求項１】
蛍光灯の両端子部が接続支持される両蛍光灯ソケット支持部と、これら両蛍光灯ソケット支持部間に亘って連結されているとともに、上面部に長手方向に沿って複数の商品サンプルを着脱自在に取り付け可能な商品サンプル取り付け部が形成されたサンプル台とを具備し、少なくとも商品サンプル取り付け部が、透光性素材によって形成されている自動販売機のサンプル台構造。
【請求項２】
前記蛍光灯ソケット支持部が、サンプル台と同色の透光性素材で構成されているとともに、背後の係止突起部を介してサンプル台取り付け部に形成された突起受け部に嵌め込み固定可能に構成されている請求項１記載の自動販売機のサンプル台構造。
【請求項３】
前記サンプル台の前部には、商品サンプルに対応するディスプレープレートを脱着自在に装着するプレート装着部が形成されているとともに、前記ディスプレープレートが透光性素材によって構成されている請求項１又は２記載の自動販売機のサンプル台構造。
【請求項４】
前記プレート装着部が、上面と前面とがなすアール状のコ−ナ部分から前面部分に亘って、上面側の入口から商品サンプルに対応するディスプレープレートを抜差し自在な横倒しコ字状の取り付け溝から構成されている請求項１、２又は３記載の自動販売機のサンプル台構造。
【請求項５】
サンプル台の長手方向両端部の連結側板には、対応する蛍光灯ソケット支持部の手前側に形成された係止ピンに当接した状態でのサンプル台の後方移動により、サンプル台を正規装着位置に案内可能にする倣い溝と、蛍光灯ソケット支持部の奥部側に形成された係止片にサンプル台の後端部を当接した状態での倣い溝によるサンプル台の後方移動により、蛍光灯ソケット支持部の係止片を係合する係合凹部と、サンプル台を正規装着位置より手前の引出し位置において蛍光灯ソケット支持部の係止ピンが係入する支点溝と、この支点溝に係入する係止ピンを支点としてサンプル台を前下がりの傾斜姿勢に回動させたとき、サンプル台との接当によって最大前傾角度を規制するストッパーとが形成されている請求項１、２、３又は４記載の自動販売機のサンプル台構造。
【請求項６】
前記サンプル台が、背後の係止部を介して、サンプル台取り付け部に形成された係止受部に係合可能に構成されている請求項１、２、３、４又は５記載の自動販売機のサンプル台構造。
【請求項７】
前記サンプル台の係止部が、蛍光灯ソケット支持部の係止ピンに倣い溝を当接した状態でのサンプル台の後方回動により、サンプル台取り付け部に形成された係止受け部に係合可能に構成されているとともに、この係止部と係止受部の係合に伴ってサンプル台の係合凹部が、蛍光灯ソケット支持部の係止片に係合可能に構成されている請求項５又は６記載の自動販売機のサンプル台構造。
【請求項８】
前記サンプル台が、長手方向に分割形成されたサンプル台ユニットと、サンプル台ユニット同士の突合せ部に対して着脱自在であるとともに、突合せ部の装着状態でサンプル台ユニット同士を一体連結する連結具とから構成されている請求項１、２、３、４、５、６又は７記載の自動販売機のサンプル台構造。
【発明の詳細な説明】
【０００１】
【発明の属する技術分野】
本発明は、自動販売機のサンプル台構造に関する。
【０００２】
【従来の技術】
一般に、缶入り飲料、壜入り飲料、ペットボトル入り飲料等の商品を販売する自動販売機においては、昼夜に関係なく前面扉の正面に設けられたサンプル台に載せられた多数の商品サンプルの中から所望の商品を購入することができることはよく知られている。
この種の自動販売機は、サンプル台上の商品サンプルを照射するための蛍光灯からなる照明が設けられており、夜間における商品購入の選択を可能にもするものであるが、従来の自動販売機においては、サンプル台上に横方向に複数並べてある商品サンプルに対して上方から照明を当てるサンプル台構造が一般に採られている。
具体的には、図１９に示すように、最上段のサンプル台１１０の商品サンプルＫには、サンプル台１１０の直上に配設された蛍光灯２００によって上方からの照明が当てられ、中段や最下段のサンプル台１１０の商品サンプルは、直上のサンプル台１１０内に配備された蛍光灯２１０によって上方からの照明が当てられるようになっている。
【０００３】
【発明が解決しようとする課題】
ところが、この種サンプル台構造１００においては、各サンプル台１１０の直上の蛍光灯２００，２１０によって、直下の商品サンプルＫ群を照明する構造であるので、下方に行くほど照度が低下する傾向があり、正面側からサンプル台１１０の全体を見た場合、商品サンプルＫの上部部分の照明は強く下部部分ほど照明は弱くなるとともに、一般的に、背景板３００（背板）上部からの反射が強く商品サンプＫの周りが明るく商品サンプルＫの前面が暗くなる傾向を示し、商品表示力が昼間よりも低下すると言った問題がある。
また、商品サンプル内に照明を直に照射する構造を採用して、商品サンプルを内部から照明することも行なわれてもいるが、商品サンプルに表示された白色系統の文字標記や模様部分のみが外部に明るく表出するものの、商品サンプルを直接に照射している照明の明るさと、商品サンプルを透光した明るさとでは、当然に前者の方が明るいので、全体として見ても依然として商品サンプルの周りが明るく商品サンプルの前面が暗くなる傾向が大きく変わるものではなかった。
【０００４】
【発明が解決しようとする課題】
【０００５】
本発明は、上述の実状に鑑みて為されたものであって、その主たる課題は、サンプル台上の商品サンプルを明るく照明してディスプレイ効果の向上を図ることができる自動販売機のサンプル台構造を提供する点にある。
【０００６】
【課題を解決するための手段】
本発明の請求項１による自動販売機のサンプル台構造の特徴構成は、蛍光灯の両端子部が接続支持される両蛍光灯ソケット支持部と、これら両蛍光灯ソケット支持部間に亘って連結されているとともに、上面部に長手方向に沿って複数の商品サンプルを着脱自在に取り付け可能な商品サンプル取り付け部が形成されたサンプル台とを具備し、少なくとも商品サンプル取り付け部が、透光性素材によって形成されている点にある。
【０００７】
［作用］
上記特徴構成によれば、蛍光灯からの照射光が、少なくとも商品サンプル取り付け部を透光してサンプル台上に取り付けられている商品サンプルの下部から上部に亘って全体照射することができる。
【０００８】
［効果］
従って、蛍光灯からの照射光によって少なくとも商品サンプル取り付け部を照明状態にすることができ、商品サンプルを下方から陰影なく照明することができるので、商品サンプルのディスプレイ性を向上させることができる。
また、上部に商品サンプルを直接に照明する照明灯が存在する場合、従来においては、商品サンプルの上部部分の照明は強く下部部分ほど照明は弱くなるとともに、背景板上部からの反射が強く商品サンプルの周りが明るく商品サンプルの前面が暗くなる傾向を示す問題があるものに比べて、商品サンプルの下部部分の照明は強く商品サンプル全体を明るく照明することができるとともに、商品外周部分も明るく照明することができるため、商品サンプルの背後と前面とに照明の差が生じにくい照明構成を形成することができ、その結果、商品サンプルの表示性を高めることができる。
【０００９】
本発明の請求項２による自動販売機のサンプル台構造の特徴構成は、前記蛍光灯ソケット支持部が、サンプル台と同色の透光性素材で構成されているとともに、背後の係止突起部を介してサンプル台取り付け部に形成された突起受け部に嵌め込み固定可能に構成されている点にある。
【００１０】
［作用］
上記特徴構成によれば、蛍光灯ソケット支持部及びサンプル台が透光性素材で構成されているので、蛍光灯からの照射が均等に分散されて、見かけ上、蛍光灯ソケット支持部及びサンプル台自体を照明灯に構成することができる。
しかも、陳列ケースに対して、蛍光灯ソケット支持部の背後の係止突起部を、陳列ケースの対応する突起受け部に嵌め込むことによって、蛍光灯ソケット支持部を固定することができるので、特別に別のネジ止めなどの固定用部品を用いないで固定することができる。
【００１１】
［効果］
従って、散光する照明を商品サンプルに照射することができるので、商品サンプルを陰影なく表出することできるので、商品識別性の向上を図ることができる一方、陳列ケースに対して、蛍光灯ソケット支持部を簡単に何ら別の固定用部品を用いることなく、簡単に固定することができる。
【００１２】
本発明の請求項３による自動販売機のサンプル台構造の特徴構成は、前記サンプル台の前部には、商品サンプルに対応するディスプレープレートを脱着自在に装着するプレート装着部が形成されているとともに、前記ディスプレープレートが透光性素材によって構成されている点にある。
【００１３】
［作用］
上記特徴構成によれば、蛍光灯からの照射光によってサンプル台自体を間接照射状態にすることができ、この間接照射を背後から受けて、ディスプレープレートに標記された情報を照射光によって強調された状態に表出することができるので、インパクトあるプレート表示を形成することができる。
【００１４】
［効果］
従って、ディスプレープレートの視認性を高めてサンプル台全体のディスプレイ性を高めることができる。
【００１５】
本発明の請求項４による自動販売機のサンプル台構造の特徴構成は、前記プレート装着部が、上面と前面とがなすアール状のコ−ナ部分から前面部分に亘って、上面側の入口から商品サンプルに対応するディスプレープレートを抜差し自在な横倒しコ字状の取り付け溝から構成されている点にある。
【００１６】
［作用］
上記特徴構成によれば、取り付け溝に対してディスプレープレートは簡単に抜き差しすることができ、ディスプレープレートの交換が容易に実施することができるとともに、装着状態ではディスプレープレートが折り曲げ状態になるので、ディスプレープレートの弾性復元力が取り付け溝に装着力として作用してディスプレープレートを強く取り付け溝に装着することができる。
また、取り付け溝に嵌め込まれたディスプレープレートは、サンプル台のコ−ナ部分から前面部分に跨っているので、視認することができる面が前面と上面の二面に亘っている。
【００１７】
［効果］
従って、サンプル台の前面と上面に対応するディスプレープレート上の二面に連続する標記を記載することも、又は、二面に振分けて標記することもできるので、何れの場合であっても、視覚効果の向上と商品サンプル情報提供性の向上を図ることができる。
【００１８】
本発明の請求項５による自動販売機のサンプル台構造の特徴構成は、サンプル台の長手方向両端部の連結側板には、対応する蛍光灯ソケット支持部の手前側に形成された係止ピンに当接した状態でのサンプル台の後方移動により、サンプル台を正規装着位置に案内可能にする倣い溝と、蛍光灯ソケット支持部の奥部側に形成された係止片にサンプル台の後端部を当接した状態での倣い溝によるサンプル台の後方移動により、蛍光灯ソケット支持部の係止片を係合する係合凹部と、サンプル台を正規装着位置より手前の引出し位置において蛍光灯ソケット支持部の係止ピンが係入する支点溝と、この支点溝に係入する係止ピンを支点としてサンプル台を前下がりの傾斜姿勢に回動させたとき、サンプル台との接当によって最大前傾角度を規制するストッパーとが形成されている点にある。
【００１９】
［作用］
上記特徴構成によれば、蛍光灯ソケット支持部の係止ピンにサンプル台の倣い溝を当接した状態にするとともに、蛍光灯ソケット支持部の係止片にサンプル台の後端部を当接した状態にして、蛍光灯ソケット支持部に対してサンプル台を後方移動することにより、倣い溝に沿った移動に伴ってサンプル台が正規装着位置に案内されて、サンプル台の係合凹部と蛍光灯ソケット支持部の係止片とが係合状態になることによって、両蛍光灯ソケット支持部間にサンプル台を取り付けることができ、反対に、サンプル台を倣い溝に沿って正規装着位置から手前に引き出し移動して、サンプル台の係合凹部と蛍光灯ソケット支持部の係止片とが係合を解除することにより、両蛍光灯ソケット支持部からサンプル台を取り外すことができる。
しかも、蛍光灯ソケット支持部とサンプル台とが分離した状態で、蛍光灯ソケット支持部の係止ピンにサンプル台の支点溝を係入し、この状態で係止ピンを支点としてサンプル台を前下がりの最大前傾角度まで傾斜姿勢に回動してサンプル台をストッパーに規制させることによって、両蛍光灯ソケット支持部間に、サンプル台を前下がりの傾斜姿勢に保持した状態にすることができるとともに、蛍光灯の上部を開放することができる。
【００２０】
［効果］
従って、蛍光灯ソケット支持部に対してサンプル台の組立てや分解を容易に実施することができるとともに、サンプル台上や蛍光灯上のほこりや侵入した虫等の掃除を容易に実施することができるので、製作性と取扱い性の向上を図ることができる。
【００２１】
本発明の請求項６による自動販売機のサンプル台構造の特徴構成は、前記サンプル台が、背後の係止部を介して、サンプル台取り付け部に形成された係止受部に係合可能に構成されている点にある。
【００２２】
［作用］
上記特徴構成によれば、サンプル台取り付け部にサンプル台自体を係合状態に取り付けることができるので、サンプル台及びサンプル台に搭載されるサンプルの荷重がサンプル台取り付け部に支持される。
【００２３】
［効果］
従って、例えば、新製品や商品変更に伴って、サンプルを変更する際等、実際の商品を変更サンプルに利用することもあり、両蛍光灯ソケット支持部にのみに固定状態に取り付けられ、中身抜きの空商品又は樹脂シート製のサンプルといった、軽量化されたサンプルの搭載を想定してある従来のサンプル台構造においては、重量物である実商品である変更サンプルを搭載した場合、サンプル台が荷重によって撓んだりする問題があるのを、上記構成にすることによって、重量物である変更サンプルが複数存在しても十分に対応支持することができるというように、サンプル台の使用状況に臨機に対応することができるので、信頼性の高いサンプル台構造を形成することができる。
【００２４】
本発明の請求項７による自動販売機のサンプル台構造の特徴構成は、前記サンプル台の係止部が、蛍光灯ソケット支持部の係止ピンに倣い溝を当接した状態でのサンプル台の後方回動により、サンプル台取り付け部に形成された係止受部に係止可能に構成されているとともに、この係止部と係止受部の係合に伴ってサンプル台の係合凹部が、蛍光灯ソケット支持部の係止片に係合可能に構成されている点にある。
【００２５】
［作用］
上記特徴構成によれば、サンプル台をサンプル台取り付け部に取り付けするのに伴って、サンプル台を蛍光灯ソケット支持部に取り付けすることができる。
【００２６】
［効果］
従って、サンプル台をサンプル台取り付け部と蛍光灯ソケット支持部との両方に、一括して簡単に取り付けけることができるので、多構成でありながらサンプル台の取り付けに煩わしさがなく、取扱い性や使い勝手の向上を図ることができる。
【００２７】
本発明の請求項８による自動販売機のサンプル台構造の特徴構成は、前記サンプル台が、長手方向に分割形成されたサンプル台ユニットと、サンプル台ユニット同士の突合せ部に対して着脱自在であるとともに、突合せ部の装着状態でサンプル台ユニット同士を一体連結する連結具とから構成されている点にある。
【００２８】
［作用］
上記特徴構成によれば、サンプル台ユニットの連結数を換えることによって、長手方向の長さの異なるサンプル台を形成することができるとともに、例えば、連結構造はそのままでサンプルの取付け数の異なるようなサンプル台ユニットを形成することもできるので、サンプル台を多様な表現形態に形成することができる。
【００２９】
［効果］
従って、このようなサンプル台ユニット及び連結具を標準部品とすることによって、例えば、長尺なサンプル台、短尺なサンプル台などの仕様の異なる自動販売機対して、対応する長さのサンプル台を形成することができるというように、部品の共用化、製作の標準化、在庫種類の削減化等、製作性の向上を図ることができる。
【００３０】
【発明の実施の形態】
〔第１実施形態〕
以下、本発明の自動販売機のサンプル台構造を適用した一実施形態を図面に基づいて説明する。
この実施形態では、図１に示すように、例えば、缶入り飲料、壜入り飲料、ペットボトル飲料等の商品を販売する自動販売機Ａに本発明を適用したものであり、この自動販売機Ａを概略すれば、例えば、外箱Ｅ内に、断熱構造の間仕切りされた内箱Ｆ構造を採用して、多種多数の商品Ｇ・・・が商品収納ラックＨ・・・を介して在庫することが可能で、図示しないが、個別に冷却装置によって冷却された商品を冷却保温、及び、加熱装置によって加熱された商品を加熱保温することが可能になった自動販売機本体Ｂに対して、外箱Ｅに対して開閉自在な前面扉Ｃと、内箱Ｆに対して開閉自在な断熱中扉（図示せず）を備え、前面扉Ｃに配備された紙幣用又は硬貨用の金銭投入装置Ｉ１，Ｉ２に入金し、同じく前面扉Ｃに配備された商品陳列部１のサンプル台Ｊ・・・に見本された商品サンプルＫの中から選択ボタンスイッチＳで選ばれた商品Ｇが、機内に収容された商品収納ラックＨから商品払出し装置Ｌを介して払出し落下され、シュートＭを経由して前面扉Ｃの商品取出し口Ｃ１に払い出されることによって、冷却保温、又は、加熱保温された商品Ｇを購入することが可能になっている。
【００３１】
前記商品陳列部１は、図１、図２に示すように、前面扉Ｃの上半分部分にアクリル等の透明合成樹脂から形成されたショーウインド２の内側に、左右ケース側板３，４、ケース天板５からなるウインドケースに対して、上下３段にサンプル台Ｊ…が配備されているサンプル台取り付け部であるところのケース背板６を開閉自在（図示せず）に構成するとともに、最上段のサンプル台Ｊは直上に配設された蛍光灯１０によって照明が当てられ、中段や最下段のサンプル台Ｊは直上のサンプル台Ｊの下面開口内に配備された蛍光灯１１によって照明が当てられるようになっている。ショーウインド２には、各階層のサンプル台Ｊの下端縁部に対応して、商品サンプルＫに対応するように選択ボタンスイッチＳが配列されたスイッチ台ＳＡが取り付けられており、各サンプル台Ｊ・・・がショーウインド２を透して見えるレイアウトになっている。
【００３２】
この実施形態において各階層のサンプル台Ｊは、図３〜図６に示すように、蛍光灯１１の両端子部１１ａ，１１ａがソケット１３，１３を介して接続支持される取り付け孔２０Ａを設けた左右の蛍光灯ソケット支持部２０，２０間に亘って連結されているとともに、上面部に長手方向に沿って複数（この実施形態では１０個）の商品サンプルＫ…を着脱自在に取り付け可能にした商品サンプル取り付け部４０が形成されている。
【００３３】
前記左右の蛍光灯ソケット支持部２０，２０と、サンプル台Ｊとによって、この実施形態のサンプル台構造ＪＡが形成されている。
【００３４】
蛍光灯ソケット支持部２０とサンプル台Ｊとの連結構造は、図３、図４に示すように、サンプル台Ｊの長手方向両端部の連結側板４１，４１には、対応する蛍光灯ソケット支持部２０，２０の手前側に形成された係止ピン２１に当接した状態でのサンプル台の後方移動により、サンプル台Ｊを正規装着位置に案内可能にする倣い溝４２と、蛍光灯ソケット支持部２０の奥部側に形成された係止片２２にサンプル台Ｊの後端部を当接した状態での倣い溝４２によるサンプル台Ｊの後方移動により、蛍光灯ソケット支持部２０の係止片２２を係合する係合凹部４３と、サンプル台Ｊを正規装着位置より手前の引出し位置において蛍光灯ソケット支持部２０の係止ピン２１が係入する支点溝４４と、この支点溝４４に係入する係止ピン２１を支点としてサンプル台Ｊを前下がりの傾斜姿勢に回動させたとき、サンプル台Ｊとの接当によって最大前傾角度を規制するストッパー２３とが形成されている。
【００３５】
蛍光灯ソケット支持部２２に対してサンプル台Ｊは、蛍光灯ソケット支持部２０の係止ピン２１にサンプル台Ｊの倣い溝４２を載せるとともに、蛍光灯ソケット支持部２０の係止片２２にサンプル台Ｊの後端部を載せた状態で、蛍光灯ソケット支持部２０に対してサンプル台Ｊを正規装着位置に移動することによって、サンプル台Ｊの係合凹部４３と蛍光灯ソケット支持部２０の係止片２２とが係合することによって、左右の蛍光灯ソケット支持部２０，２０間にサンプル台Ｊを取り付けることができ、反対に、サンプル台Ｊを正規装着位置から手前に引き出し移動して、両蛍光灯ソケット支持部２０，２０間からサンプル台Ｊを取り外すことができる。
【００３６】
また、蛍光灯ソケット支持部２０とサンプル台Ｊとが分離した状態で、蛍光灯ソケット支持部２０の係止ピン２１にサンプル台Ｊの支点溝４４を係入し、この状態で係止ピン２１を支点としてサンプル台Ｊを前下がりの最大前傾角度まで傾斜姿勢に回動してサンプル台Ｊをストッパー２３に規制させることによって、両蛍光灯ソケット支持部２０，２０間を開放することができる。
【００３７】
ここで、この実施形態においては、サンプル台構造ＪＡを形成する両蛍光灯ソケット支持部２０，２０とサンプル台Ｊとを、乳白半透明のアクリル等の透光性素材によって形成して、蛍光灯２からの照射光が、左右の蛍光灯ソケット支持部２０，２０とサンプル台Ｊとを透光してサンプル台Ｊ上に取り付けられている商品サンプルＫ…の下部から上部に亘って全体照射することができる構成になっており、蛍光灯からの照射が均等に分散されて、見かけ上サンプル台Ｊ自体を照明灯に構成することができ、乳白色の光を散光する照明を商品サンプルＫに照射することができるので、商品サンプルＫを陰影なく表出することができる。
また、サンプル台Ｊの下面開口には、長手方向に沿って等間隔をあけて補強格子が複数一体形成されている。
【００３８】
前記サンプル台Ｊの前部には、商品サンプルＫに対応するディスプレープレート５０を脱着自在に装着するプレート装着部６０が形成されているとともに、前記ディスプレープレート５０が透光性を有するアクリル等の合成樹脂薄板によって構成されている。
【００３９】
前記プレート装着部６０が、上面と前面とがなすアール状のコ−ナ部分から前面部分に亘って、上面側の入口６０Ａから商品サンプルＪに対応するディスプレープレート５０を抜差し自在な横倒しコ字状の取り付け溝６０Ｂから構成されている。
【００４０】
前記ディスプレープレート５０には、図２〜図６に示すように、下部に、商品の値段表示が表記され、上部に、例えば、商品の冷却保温を意味する「つめた〜い」等の青色表示や、商品の加温保温を意味する「あたたか〜い」等の赤色表示が標記されている。
【００４１】
前記商品サンプルＫは、商品サンプル表示を印刷した薄肉透光性のフイルムやペット容器をホルダーに取り付けて商品形態に形成された本体部Ｋ１を備え、サンプル台Ｊの受け座３０Ａに対して，本体部Ｋ１下部に形成された取り付け座Ｋ２を着脱自在に構成されている。そして、取り付け座Ｋ２と受け座３０Ａには、共に中央に蛍光灯１１等の照明が商品サンプルＫ内に直に照射する開口３０Ｂが形成され、商品サンプルＫ内を明るくする工夫がなされている。この実施形態においては、並列された受け座３０Ａ・・・を設けたサンプル台Ｊの上面部分が商品サンプル取り付け部４０を構成している。
【００４２】
ところで、この実施形態のサンプル台Ｊは、長手方向の２等分位置において接着剤を介して一対の同形態同寸法のサンプル台ユニットＪａ，Ｊａが一体連結されて構成され、各サンプル台ユニットＪａの両端部には、夫々に倣い溝４２、係合凹部４３、支点溝４４が形成され、上面部分には長手方向に沿って等間隔５箇所にサンプル台Ｊの受け座３０Ａが形成され、前面と上面とに跨る部分には、長手方向に沿って等間隔５箇所にディスプレープレート５０を脱着自在に装着するプレート装着部６０が形成されている。サンプル台Ｊを一対のサンプル台ユニットＪａ，Ｊａで構成した理由としては、サンプル台Ｊ全体の成型金型よりも小さな成型金型を使用することができ、製作コスト面における配慮と、サンプル台改造面で迅速に対応することができる点等があげられる。図３には、サンプル台Ｊをサンプル台ユニットＪａ，Ｊａに分解した状態で図示してある。
【００４３】
このような構成のサンプル台構造ＪＡによれば、サンプル台取り付け部であるところのケース背板６の左右に間隔を空けた設定位置に夫々に穿孔形成された突起受け部であるところの鍵孔状の一対の係止孔６ａ，６ａに、蛍光灯ソケット支持部２０の背後に対向形成された鍵状の一対の係止突起部２０ａを係止して、ケース背板６に両蛍光灯ソケット支持部２０，２０を取り付け、これら蛍光灯ソケット支持部２０，２０間に、サンプル台Ｊを取り付ける作業を、上下３段のサンプル台構造ＪＡに繰り返して実施して、商品陳列部１を形成する。ここで、商品サンプルＫは、予めにサンプル台Ｊに取り付けるか、又は、蛍光灯ソケット支持部２０，２０間に取り付けたサンプル台Ｊに後で取り付けるかは自由に選択することができる。
【００４４】
蛍光灯ソケット支持部２０，２０の背後面には、半球状の小突起２０ｂが形成されていて、これに対応する小孔６ｂがケース背板６に形成され、ケース背板６に蛍光灯ソケット支持部２０を取り付けた状態で、小突起２０ｂが小孔６ｂに係入して、ケース背板６に対して蛍光灯ソケット支持部２０を位置決め保持状態にして、左右の蛍光灯ソケット支持部２０，２０間にサンプル台Ｊを平行度や間隔寸法等を精度よく取り付けることができるようになっている。
【００４５】
また、上記実施形態の商品陳列部１によれば、最上段におけるサンプル台Ｊの商品サンプルＫ・・・には、サンプル台Ｊによる蛍光灯１１の間接発光による下部から上部にいたる照射と、直上の蛍光灯１０による直接の照射とによる照明を受け、中段及び最下段におけるサンプル台Ｊの商品サンプルＫ・・・には、サンプル台Ｊによる蛍光灯１１の間接発光による下部から上部にいたる照射と、直上の蛍光灯１１による直接の照射とにより照明を受けることができるので、商品サンプルＫ全体を均等に照明することができる。
【００４６】
また、サンプル台Ｊが間接発光する状態になるので、ショーウインド１１面に照明の明暗差のある部分を作りにくい構成になっているので、全体に明るいディスプレイ効果を生じさせることができる。
【００４７】
〔第２実施形態〕
この第２実施形態の自動販売機のサンプル台構造は、上記第１実施形態と異なる点を図１１〜図１８の図面に基づいて説明し、上記実施形態と同様構成部分には同符号を付して、その詳細は省略する。
【００４８】
この実施形態におけるサンプル台Ｊは、図１１、図１２に示すように、長手方向に分割形成された同形態で一対のサンプル台ユニットＪａ，Ｊａと、サンプル台ユニットＪａ，Ｊａ同士の突合せ部に対して着脱自在であるとともに、突合せ部への装着状態でサンプル台ユニットＪａ，Ｊａ同士を一体連結する連結具７０とから構成されている。
【００４９】
前記連結具７０は、図１１〜図１３に示すように、サンプル台ユニットＪａ，Ｊａ同士の突合せ部を構成する、倣い溝４２、係合凹部４３、支点溝４４を形成する天板側から下面側に直角に折り曲げ形成された天板側折り曲げ板部８０ａと、背面から前面側に直角に折り曲げ形成された背板折り曲げ板部８０ｂと、前面から背面側に直角に折り曲げ形成された前板折り曲げ板部８０ｃが一体形成されている突合せ部である端部８０，８０同士を、両側から弾性変形力を利用して挟持する隙間７０Ａが形成された断面コ字状の透光性素材の樹脂から形成されている。
【００５０】
また、突き合わされるサンプル台ユニットＪａ，Ｊａの何れか一端部８０には、小径な受け孔４５が形成され、他端部８０には、前記受け孔４５に着脱自在に嵌合可能な嵌合凸部４６が形成され、突き合わされるサンプル台ユニットＪａ，Ｊａの端部８０，８０同士を精度よく突合せ状態にすることができる。
【００５１】
サンプル台Ｊを構成するサンプル台ユニットＪａ，Ｊａには、背面部に長手方向に沿って複数の係止部９０・・・が形成され、これに対応するサンプル台取り付け部であるところのケース背板６には、長手方向に沿って上下で孔の大きさが異なる下向き凸状の複数の係止受部１００・・・が形成され、ケース背板６の係止受部１００・・・にサンプル台Ｊの係止部９０・・・を係合して、ケース背板６にサンプル台Ｊを取付け可能になっている。
【００５２】
前記各サンプル台ユニットＪａ，Ｊａの各係止部９０は、背面部に対して、下方に向かう程、間隔が開いて行く傾斜状態の係止片９０ａと、この係止片９０ａと背面部とを一体連設する繋ぎ部９０ｂから形成されており、この実施形態において、サンプル台ユニットＪａ，Ｊａの端部８０，８０近傍に位置する係止部９０，９０は、繋ぎ部９０ｂに対して係止片９０ａが内側にのみに存在する片翼状に形成され、サンプル台ユニットＪａ，Ｊａの両端を除く中間部に位置する係止部９０・・・は、繋ぎ部９０ｂに対して係止片９０ａが左右両側に存在する両翼状に形成されている。ここで、サンプル台ユニットＪａ，Ｊａが連結具７０を介して連結されてサンプル台Ｊを形成する状態においては、サンプル台ユニットＪａの突合せ部分における片翼状の係止部９０，９０同士が近接状態になり、この状態で両翼状の係止片９０ａに似た形態を形成するようになっており、一つの係止受部１００に係合可能な構成になっている。
【００５３】
この係止部９０構成に対応して、ケース背板６の係止受部１００の上側の孔部は、係止片９０ａが挿脱自在な大孔部１００ａに形成され、下側の孔部は、繋ぎ部９０ｂが上部の大径孔部経由で挿入可能な小孔部１００ｂに形成されている。
【００５４】
詳しくは、図１６，図１７に示すように、ケース背板６に両蛍光灯ソケット支持部２０，２０を取付け、両蛍光灯ソケット支持部２０の係止ピン２１に，サンプル台Ｊの両端の倣い溝４２を当接した状態で、当該サンプル台Ｊを後方回動させることによって、ケース背板６の係止受部１００・・・に対して、サンプル台Ｊ側の係止部９０・・が嵌め込み固定されることになるとともに、この係止部９０と係止受部１００との固定操作に伴ってサンプル台Ｊの係合凹部４３が、蛍光灯ソケット支持部２０の係止片２２に係合するようになっている。
【００５５】
ここで、サンプル台Ｊは、係止ピン２１を中心とする後方回動によって、係止受部１００ａに係止片９０ａを挿入しながら小孔部１００ｂに繋ぎ部９０ｂが挿入されるようになっており、従って、サンプル台Ｊの後方回動といった一連の取付け操作に伴って、係止受部１００に対して係止部９０の係合がなされる。前記係止片２２の後部分は、この実施形態では、サンプル台Ｊの取付けの際に、サンプル台Ｊの背板折り曲げ板部８０ｂと干渉しないように下方に折り曲げ形成されている。
【００５６】
また、サンプル台Ｊの倣い溝４２を係止ピン２１に当接する位置関係は、サンプル台Ｊの後方回動の過程で適宜に位置合わせながら行われるが、倣い溝４２に係止ピン２１が当接する回動であるので、傾斜状態の係止受部１００が捕捉されやすくなっている。
【００５７】
また、ケース背板６の裏面には、図１１、図１４〜図１８に示すように、配列された係止受部１００に対応して虫除け板１１０が取付けられて、外部からケース背板６の表側、つまり、商品陳列部１内側に虫等が侵入することがないようになっている。前記虫除け板１１０は、係止受部１００に対応して係止部９０が収容される空間を形成する断面コ字状の閉じ板部１１０ａと、この閉じ板部１１０ａの上部に一体形成され、ケース背板６にスポット溶接などで固着される取付け板部１００ｂとから形成されている。また、この実施形態において、前記閉じ板部１１０ａの両端のコ字状底板部分１１０ｃ，１１０ｃは、図１１に示すように、ケース背板６側に折り曲げ形成され、閉じ板部１１０ａとこれに対向するケース背板６によって、閉じた空間が形成され、外部から虫等が侵入することができない構造を形成している。
【００５８】
このような構成にすることによって、図１４に示すように、例え、サンプル台Ｊに実際のサンプルＫと異なり重さのある商品Ｇが代替サンプルＫとして取り付けられるような場合であっても、サンプル台Ｊ自体が蛍光灯ソケット支持部２０，２０とケース背板６に取り付けられているので、商品荷重がケース背板６に支持されることになるので、サンプル台Ｊが代替サンプルＫの重量荷重によって下方に向けて撓んでしまうようなことを回避することができ、搭載される代替サンプルＫの数量や重量に左右されない牢固なサンプル台Ｊを形成することができる。
【００５９】
〔その他の実施形態〕
（１）　上記実施形態においては、サンプル台構造ＪＡを形成する左右の蛍光灯ソケット支持部２０，２０とサンプル台Ｊとを、乳白半透明のアクリル等の透光性素材によって形成して、蛍光灯１１からの照射光が、左右蛍光灯ソケット支持部２０，２０とサンプル台Ｊとを透光してサンプル台Ｊ上に取り付けられている商品サンプルＫ…の下部から上部に亘って全体照射することができる構成のものについて説明したが、本発明はこれに限らず、例えば、サンプル台Ｊのみが透光性素材によって形成されていても、少なくとも商品サンプル取り付け部４０のみが、透光性素材によって形成されていてもよく、この場合においても、蛍光灯１１からの照射光が、商品サンプル取り付け部４０に取り付けられている商品サンプルＫ…の下部から上部に亘って全体照射することができる。
【００６０】
（２）　上記実施形態のサンプル台Ｊは、一対のサンプル台ユニットＪａ，Ｊａに接着剤を介して一体連結するものについて説明したが、本発明はこれに限らず、一個のサンプル台ユニットによってサンプル台を構成するものであっても、反対に、３個のサンプル台ユニットによってサンプル台を構成するものであってもよい。
（３）　上記第２実施形態において、サンプル台Ｊに、係止片９０ａと繋ぎ部９０ｂとからなる係止部９０が形成され、これに対応するサンプル台取り付け部であるところのケース背板６に、大孔部１００ａと小孔部１００ｂからなる下向き凸状の係止受部１００が形成されるものについて説明したが、本発明はこれに限らず、サンプル台Ｊに、大孔部と小孔部からなる下向き凸状の係止部が形成され、これに対応するサンプル台取り付け部であるところのケース背板６に、係止片と繋ぎ部とからなる係止受部が形成される構成のものであってもよい。
（４）　上記第１実施形態においてのサンプル台Ｊは、サンプル台ユニットＪａ，Ｊａ同士の突合せ部に接着剤を介して一体連結する例を説明したが、これに限らず、上記第２実施形態のサンプル台Ｊの用いた同様の連結具７０を介して、サンプル台ユニットＪａ，Ｊａ同士を一体連結するようにしてもよい。この場合、接着剤を用いないでサンプル台ユニットＪａ，Ｊａ同士を連結することができる。
【図面の簡単な説明】
【図１】本発明を適用した自動販売機の全体外観を一部も模式表現で示す斜視図
【図２】本発明を適用した自動販売機の商品陳列部を示す正面図
【図３】第１実施形態のサンプル台構造を示す分解斜視図
【図４】蛍光灯ソケット支持部とサンプル台とディスプレープレートとの関係を示す要部分解斜視図
【図５】サンプル台構造を示す斜視図
【図６】サンプル台構造を示す縦断面図
【図７】蛍光灯ソケット支持部とサンプル台との関係を示す分解断面図
【図８】蛍光灯ソケット支持部に対してサンプル台の取り付け途中の状態を示す断面図
【図９】蛍光灯ソケット支持部に対してサンプル台の取り付け状態を示す断面図
【図１０】蛍光灯ソケット支持部に対して係止ピンを支点としてサンプル台を前下がりの傾斜姿勢にした状態を示す断面図
【図１１】第２実施形態のサンプル台構造を示す斜視図
【図１２】サンプル台構造の要部を拡大して示す斜視図
【図１３】サンプル台ユニット同士の突合せ部と連結具との関係を示す要部断面図
（イ）はサンプル台ユニット同士の突合せ部に連結具を装着する前の状態を示す要部断面図
（ロ）はサンプル台ユニット同士の突合せ部に連結具を装着した状態を示す要部断面図
【図１４】第２実施形態のサンプル台構造を示す縦断面図
【図１５】蛍光灯ソケット支持部とサンプル台との関係を示す分解断面図
【図１６】蛍光灯ソケット支持部とサンプル台取付け部に対するサンプル台の取り付け状態を示す断面図
【図１７】蛍光灯ソケット支持部とサンプル台取付け部に対してサンプル台の取り付けた状態を示す断面図
【図１８】蛍光灯ソケット支持部に対して係止ピンを支点としてサンプル台を前下がりの傾斜姿勢にした状態を示す断面図
【図１９】従来の自動販売機の商品陳列部を示す正面図
【符号の説明】
Ａ　　　　　　　　自動販売機
Ｊ　　　　　　　　サンプル台
ＪＡ　　　　　　　サンプル台構造
Ｋ　　　　　　　　商品サンプル
６　　　　　　　　ケース背板（サンプル台取付け部）
１１　　　　　　　蛍光灯
２０　　　　　　　蛍光灯ソケット支持部
２１　　　　　　　係止ピン
２２　　　　　　　係止片
２３　　　　　　　ストッパー
４０　　　　　　　商品サンプル取り付け部
４１　　　　　　　連結側板
４２　　　　　　　倣い溝
４４　　　　　　　支点溝
４３　　　　　　　係合凹部
５０　　　　　　　ディスプレープレート
６０　　　　　　　プレート装着部
６０Ａ　　　　　　上面側の入口
６０Ｂ　　　　　　横倒しコ字状の取り付け溝
７０　　　　　　　連結具
８０　　　　　　　端部（突合せ部）
９０　　　　　　　係止部
１００　　　　　　係止受部
【図１】
2004086853.tif 000003
【図２】
2004086853.tif 000004
【図３】
2004086853.tif 000005
【図４】
2004086853.tif 000006
【図５】
2004086853.tif 000007
【図６】
2004086853.tif 000008
【図７】
2004086853.tif 000009
【図８】
2004086853.tif 000010
【図９】
2004086853.tif 000011
【図１０】
2004086853.tif 000012
【図１１】
2004086853.tif 000013
【図１２】
2004086853.tif 000014
【図１３】
2004086853.tif 000015
【図１４】
2004086853.tif 000016
【図１５】
2004086853.tif 000017
【図１６】
2004086853.tif 000018
【図１７】
2004086853.tif 000019
【図１８】
2004086853.tif 000020
【図１９】
2004086853.tif 000021